(57)【要約】【課題】在宅者が望まない遠隔操作を実行する可能性を低減することができるようにする。【解決手段】遠隔操作端末１の情報収集処理部１３が、宅内情報のダウンロード要求を宅内装置２に送信して、宅内装置２から宅内情報を収集すると、状況提示処理部１４が、情報収集処理部１３により収集された宅内情報にしたがって操作対象機器３の運転状況と操作対象機器３が設置されている部屋の在室状況を提示する。【選択図】図１
2016010047.tif 000002
【特許請求の範囲】
【請求項１】
操作対象機器に対する操作内容を示す操作信号を送信する遠隔操作端末と、前記遠隔操作端末から送信された操作信号にしたがって前記操作対象機器を制御する宅内装置とから構成されており、
前記宅内装置は、
前記操作対象機器の運転状況を確認する運転状況確認手段と、
前記操作対象機器が設置されている部屋の在室状況を確認する在室状況確認手段と、
前記遠隔操作端末から送信されたダウンロード要求にしたがって前記運転状況確認手段により確認された運転状況及び前記在室状況確認手段により確認された在室状況を示す宅内情報を送信するダウンロード受付手段とを備え、
前記遠隔操作端末は、
前記ダウンロード要求を前記宅内装置に送信して、前記宅内装置から前記宅内情報を収集する情報収集手段と、
前記情報収集手段により収集された宅内情報にしたがって前記操作対象機器の運転状況と前記操作対象機器が設置されている部屋の在室状況を提示する状況提示手段とを備えていることを特徴とする機器制御システム。
【請求項２】
前記ダウンロード受付手段は、前記操作対象機器が設置されている部屋の間取りを示す間取り情報と、前記操作対象機器に対応するアイコン及び在室中を明示するアイコンを示すアイコン情報とを含む宅内情報を送信し、
前記状況提示手段は、前記情報収集手段により収集された宅内情報にしたがって部屋の間取り図を表示するとともに、前記操作対象機器に対応するアイコンと前記操作対象機器の運転状況を前記間取り図上に表示し、前記宅内情報が示す在室状況が在室中である旨を示していれば、前記在室中を明示するアイコンを前記間取り図上に表示することを特徴とする請求項１記載の機器制御システム。
【請求項３】
前記在室状況確認手段は、前記操作対象機器が設置されている部屋が在室中である場合、前記部屋に存在している人の名前を特定して、前記名前を示すユーザ情報を出力し、
前記ダウンロード受付手段は、前記在室状況確認手段から出力されたユーザ情報を含む宅内情報を送信し、
前記状況提示手段は、前記情報収集手段により収集された宅内情報に含まれているユーザ情報が示す名前を前記間取り図上に表示することを特徴とする請求項２記載の機器制御システム。
【請求項４】
前記遠隔操作端末は、宅内の全ての操作対象機器に対する一括操作の操作内容を示す一括操作信号を送信する一括操作要求手段を備え、
前記宅内装置は、前記一括操作要求手段から送信された一括操作信号にしたがって宅内の全ての操作対象機器を一括に制御する一括制御手段を備えていることを特徴とする請求項１から請求項３のうちのいずれか１項記載の機器制御システム。
【請求項５】
前記一括操作要求手段は、宅内の全ての操作対象機器の一括操作、あるいは、不在中の部屋に設置されている全ての操作対象機器の一括操作の選択を受け付け、前記不在中の部屋に設置されている全ての操作対象機器の一括操作が選択された場合、前記不在中の部屋に設置されている全ての操作対象機器に対する一括操作の操作内容を示す部分的一括操作信号を送信し、
前記一括制御手段は、前記一括操作要求手段から送信された部分的一括操作信号にしたがって前記不在中の部屋に設置されている全ての操作対象機器を一括に制御することを特徴とする請求項４記載の機器制御システム。
【請求項６】
遠隔操作端末から送信された操作対象機器に対する操作内容を示す操作信号にしたがって前記操作対象機器を制御する機器制御手段と、
前記操作対象機器の運転状況を確認する運転状況確認手段と、
前記操作対象機器が設置されている部屋の在室状況を確認する在室状況確認手段と、
前記遠隔操作端末から送信されたダウンロード要求にしたがって前記運転状況確認手段により確認された運転状況及び前記在室状況確認手段により確認された在室状況を示す宅内情報を前記遠隔操作端末に送信するダウンロード受付手段と
を備えた宅内装置。
【請求項７】
操作対象機器に対する操作内容を示す操作信号を宅内装置に送信する操作信号送信手段と、
前記操作対象機器の運転状況及び前記操作対象機器が設置されている部屋の在室状況を示す宅内情報のダウンロード要求を前記宅内装置に送信して、前記宅内装置から前記宅内情報を収集する情報収集手段と、
前記情報収集手段により収集された宅内情報にしたがって前記操作対象機器の運転状況と前記操作対象機器が設置されている部屋の在室状況を提示する状況提示手段と
を備えた遠隔操作端末。
【発明の詳細な説明】
【技術分野】
【０００１】
この発明は、例えば、エアコンやテレビなどの操作対象機器の遠隔操作を受け付ける機器制御システムと、機器制御システムを構成する宅内装置及び遠隔操作端末とに関するものである。
【背景技術】
【０００２】
以下の特許文献１に開示されている機器制御システムでは、ホームサーバが、携帯端末などの制御機器から、エアコンやテレビなどの操作対象機器の遠隔操作に関する操作情報を受信すると、その操作情報を報知機器（例えば、宅内に設置されているＰＣやインターホンなど）に出力し、報知機器が当該操作情報を含む報知メッセージを在宅者に報知するようにしている。
このホームサーバは、報知機器が報知メッセージを在宅者に報知してから、一定時間以内であれば、操作対象機器の遠隔操作を無効にする操作を受け付ける機能を備えている。
しかし、在宅者が報知メッセージの報知に気が付かない場合や、何らかの理由で遠隔操作を無効にする操作を行えない場合、在宅者が望まない遠隔操作が実行されてしまうことがある。
【先行技術文献】
【特許文献】
【０００３】
【特許文献１】特開２００４−１３５０４０号公報（段落番号［００６４］、図７）
【発明の概要】
【発明が解決しようとする課題】
【０００４】
従来の機器制御システムは以上のように構成されているので、携帯端末などの制御機器を携帯していれば、ユーザが宅外にいる場合でも、操作対象機器の操作を行うことができる。しかし、宅外のユーザは、操作対象機器が設置されている部屋の在室状況などを知り得ないため、在宅者が望まない遠隔操作を実行してしまう可能性が高く、在宅者の快適性を損なってしまうことがある課題があった。
なお、報知機器が報知メッセージを在宅者に報知してから、一定時間以内であれば、在宅者が操作対象機器の遠隔操作を無効にすることができるが、在宅者が報知メッセージの報知に気が付かない場合や、何らかの理由で遠隔操作を無効にする操作を行えない場合、在宅者が望まない遠隔操作が実行される。
【０００５】
この発明は上記のような課題を解決するためになされたもので、在宅者が望まない遠隔操作を実行する可能性を低減することができる機器制御システムを得ることを目的とする。
また、この発明は、在宅者が望まない遠隔操作を実行する可能性を低減することができる機器制御システムを構成する宅内装置及び遠隔操作端末を得ることを目的とする。
【課題を解決するための手段】
【０００６】
この発明に係る機器制御システムは、宅内装置が、操作対象機器の運転状況を確認する運転状況確認手段と、操作対象機器が設置されている部屋の在室状況を確認する在室状況確認手段と、遠隔操作端末から送信されたダウンロード要求にしたがって運転状況確認手段により確認された運転状況及び在室状況確認手段により確認された在室状況を示す宅内情報を送信するダウンロード受付手段とを備え、遠隔操作端末が、ダウンロード要求を宅内装置に送信して、宅内装置から宅内情報を収集する情報収集手段と、情報収集手段により収集された宅内情報にしたがって操作対象機器の運転状況と操作対象機器が設置されている部屋の在室状況を提示する状況提示手段とを備えるようにしたものである。
【発明の効果】
【０００７】
この発明によれば、遠隔操作端末の情報収集手段が、ダウンロード要求を宅内装置に送信して、宅内装置から宅内情報を収集すると、状況提示手段が、情報収集手段により収集された宅内情報にしたがって操作対象機器の運転状況と操作対象機器が設置されている部屋の在室状況を提示するように構成したので、在宅者が望まない遠隔操作を実行する可能性を低減することができる効果がある。
【図面の簡単な説明】
【０００８】
【図１】この発明の実施の形態１による機器制御システムを示す構成図である。
【図２】この発明の実施の形態１による宅内装置２の処理内容を示すフローチャートである。
【図３】状況提示処理部１４による運転状況及び在室状況の表示例を示す説明図である。
【図４】この発明の実施の形態２による機器制御システムを示す構成図である。
【図５】状況提示処理部４０による運転状況及び在室状況の表示例を示す説明図である。
【図６】この発明の実施の形態３による機器制御システムを示す構成図である。
【図７】状況提示処理部６０による運転状況及び在室状況の表示例を示す説明図である。
【図８】この発明の実施の形態４による機器制御システムを示す構成図である。
【図９】操作受付処理部７１が一括操作を受け付ける際にディスプレイに表示する画面例を示す説明図である。
【発明を実施するための形態】
【０００９】
実施の形態１．
図１はこの発明の実施の形態１による機器制御システムを示す構成図である。
図１において、遠隔操作端末１は例えばスマートフォンやタブレット端末などから構成されており、宅内の遠隔操作対象の機器（例えば、エアコンやテレビなど）である操作対象機器３に対する操作内容を示す操作信号を送信する機能などを備えている。
この実施の形態１では、遠隔操作端末１のＣＰＵが、図１に記載している各処理部の処理内容を記述しているアプリ（遠隔操作端末１のメモリに格納されているアプリケーションソフトウェア）を実行することを想定しているが、各処理部が専用のハードウェア（例えば、ＣＰＵを実装している半導体集積回路、あるいは、ワンチップマイコンなど）で構成されているものであってもよい。
宅内装置２は遠隔操作端末１から送信された操作信号を受信し、その操作信号にしたがって操作対象機器３を制御する機能などを備えている。
図１では、２台の操作対象機器３を記述しているが、１台の操作対象機器３、あるいは、３台以上の操作対象機器３が宅内に設置されていてもよい。
【００１０】
遠隔操作端末１の操作受付処理部１１は例えば遠隔操作端末１のタッチパネル上に表示される操作キーなどのユーザインタフェースであり、操作対象機器３の操作内容を受け付ける処理を実施する。
操作信号送信処理部１２は宅内装置２と通信を行う無線通信機能（無線通信機能は、電話回線を経由する通信であってもよいし、インターネットなどのネットワークを経由する通信であってもよく、無線通信の形態は特に問わない）を備えており、操作受付処理部１１により受け付けられた操作対象機器３の操作内容を示す操作信号を宅内装置２に送信する処理を実施する。
なお、操作受付処理部１１及び操作信号送信処理部１２から操作信号送信手段が構成されている。
遠隔操作端末１の他の処理部については、説明の便宜上、宅内装置２の処理部を説明してから説明する。
【００１１】
宅内装置２のホームゲートウェイ２１は例えばブロードバンドルータなどから構成されており、遠隔操作端末１から送信された操作信号や、後述する宅内情報のダウンロード要求信号などを受信する。
機器制御処理部２２は例えばＣＰＵを実装している半導体集積回路、あるいは、ワンチップマイコンなどから構成されており、ホームゲートウェイ２１が遠隔操作端末１から送信された操作信号を受信すると、その操作信号にしたがって操作対象機器３を制御する処理を実施する。なお、機器制御処理部２２は機器制御手段を構成している。
【００１２】
運転状況確認処理部２３は例えばＣＰＵを実装している半導体集積回路、あるいは、ワンチップマイコンなどから構成されており、操作対象機器３の運転状況（例えば、運転／停止の状態など）を確認する処理を実施する。なお、運転状況確認処理部２３は運転状況確認手段を構成している。
運転状況記憶部２４は例えばＲＡＭやハードディスクなどの記憶装置から構成されており、運転状況確認処理部２３により確認された運転状況を示す運転状況情報を記憶する。
機器配置記憶部２５は例えばＲＡＭやハードディスクなどの記憶装置から構成されており、操作対象機器３が設置されている部屋を示す機器配置情報を記憶している。
【００１３】
在室状況確認処理部２６は例えばＣＰＵを実装している半導体集積回路、あるいは、ワンチップマイコンなどから構成されており、機器配置記憶部２５に記憶されている機器配置情報を参照して、操作対象機器３が設置されている部屋を認識し、その部屋に取り付けられている人感センサ２９（人の存在を検知すると、センサ信号を出力するセンサ）、あるいは、操作対象機器３に搭載されている人感センサ（図示せず）のセンサ信号などに基づいて、操作対象機器３が設置されている部屋の在室状況を確認する処理を実施する。なお、在室状況確認処理部２６及び人感センサ２９は在室状況確認手段を構成している。
在室状況記憶部２７は例えばＲＡＭやハードディスクなどの記憶装置から構成されており、在室状況確認処理部２６により確認された在室状況を示す在室状況情報を記憶する。
【００１４】
ダウンロード受付処理部２８は例えばＣＰＵを実装している半導体集積回路、あるいは、ワンチップマイコンなどから構成されており、ホームゲートウェイ２１が遠隔操作端末１から送信された宅内情報のダウンロード要求信号を受信すると、運転状況記憶部２４に記憶されている運転状況情報、機器配置記憶部２５に記憶されている機器配置情報及び在室状況記憶部２７に記憶されている在室状況情報を取得し、ホームゲートウェイ２１を介して、その運転状況情報、機器配置情報及び在室状況情報を含む宅内情報を遠隔操作端末１に送信（宅内情報をダウンロード）する処理を実施する。なお、ダウンロード受付処理部２８はダウンロード受付手段を構成している。
【００１５】
遠隔操作端末１の情報収集処理部１３は操作信号送信処理部１２と同様の無線通信機能を備えており、宅内情報のダウンロード要求信号を宅内装置２に送信することで、宅内装置２から宅内情報を収集する処理を実施する。なお、情報収集処理部１３は情報収集手段を構成している。
状況提示処理部１４は情報収集処理部１３により収集された宅内情報に含まれている運転状況情報、機器配置情報及び在室状況情報にしたがって操作対象機器３の運転状況と操作対象機器３が設置されている部屋の在室状況をディスプレイに表示、あるいは、音声出力する処理を実施する。なお、状況提示処理部１４は状況提示手段を構成している。
【００１６】
図１の例では、宅内装置２の構成要素であるホームゲートウェイ２１、機器制御処理部２２、運転状況確認処理部２３、運転状況記憶部２４、機器配置記憶部２５、在室状況確認処理部２６、在室状況記憶部２７、ダウンロード受付処理部２８及び人感センサ２９のそれぞれが専用のハードウェアで構成されているものを想定しているが、人感センサ２９を除く宅内装置２がコンピュータで構成されていてもよい。
人感センサ２９を除く宅内装置２をコンピュータで構成する場合、運転状況記憶部２４、機器配置記憶部２５及び在室状況記憶部２７をコンピュータの内部メモリ又は外部メモリ上に構成するとともに、ホームゲートウェイ２１、機器制御処理部２２、運転状況確認処理部２３、在室状況確認処理部２６及びダウンロード受付処理部２８の処理内容を記述しているプログラムをコンピュータのメモリに格納し、当該コンピュータのＣＰＵが当該メモリに格納されているプログラムを実行するようにすればよい。
図２はこの発明の実施の形態１による宅内装置２の処理内容を示すフローチャートである。
【００１７】
次に動作について説明する。
宅内装置２の運転状況確認処理部２３は、予め設定された周期で、操作対象機器３の運転状況（例えば、運転／停止の状態など）を確認する（図２のステップＳＴ１）。
操作対象機器３の運転状況は、例えば、操作対象機器３の電源を入り切りするスイッチのＯＮ／ＯＦＦ状況を確認することで確認することができる。
あるいは、操作対象機器３からステータス情報（例えば、全開運転中、省エネ運転中、スタンバイ中、停止中などの運転状況を示す情報のほか、設定温度・室温（エアコンの場合）、現在表示中のチャンネル番号（テレビの場合）などを示す情報）を収集することで確認することができる。
運転状況確認処理部２３は、操作対象機器３の運転状況を確認すると、その運転状況を示す運転状況情報を運転状況記憶部２４に格納する。
【００１８】
在室状況確認処理部２６は、機器配置記憶部２５に記憶されている機器配置情報を参照して、操作対象機器３が設置されている部屋を認識し、予め設定された周期で、その部屋に取り付けられている人感センサ２９のセンサ信号を収集し、そのセンサ信号に基づいて操作対象機器３が設置されている部屋の在室状況を確認する（ステップＳＴ２）。
ここでは、操作対象機器３が設置されている部屋に取り付けられている人感センサ２９からセンサ信号を収集する例を示しているが、操作対象機器３が人感センサを搭載している場合には、操作対象機器３から当該人感センサのセンサ信号を含むステータス情報を収集し、そのステータス情報に含まれているセンサ信号に基づいて操作対象機器３が設置されている部屋の在室状況を確認するようにしてもよい。
【００１９】
また、操作対象機器３から出力されるステータス情報の中に、在宅者が最後に操作対象機器３を操作した時刻の情報が含まれている場合には、最後に操作した時刻から部屋の在室状況を確認するようにしてもよい。例えば、最後に操作した時刻から現在時刻に至るまでの経過時間が予め設定された時間（例えば、５分）より短ければ、操作対象機器３が設置されている部屋内に在宅者が存在していると判定するようにしてもよい。
在室状況確認処理部２６は、操作対象機器３が設置されている部屋の在室状況を確認すると、その在室状況を示す在室状況情報を在室状況記憶部２７に格納する。
【００２０】
宅外のユーザは、操作対象機器３の遠隔操作を希望する場合、遠隔操作端末１の操作受付処理部１１を操作して、操作対象機器３の遠隔操作用アプリを起動する。
遠隔操作端末１の情報収集処理部１３は、遠隔操作用アプリが起動すると、宅内情報のダウンロード要求信号を宅内装置２に送信する。
【００２１】
宅内装置２のホームゲートウェイ２１は、遠隔操作端末１から送信された宅内情報のダウンロード要求信号を受信すると（ステップＳＴ３：Ｙｅｓの場合）、そのダウンロード要求信号をダウンロード受付処理部２８に出力する。
ダウンロード受付処理部２８は、ホームゲートウェイ２１からダウンロード要求信号を受けると、運転状況記憶部２４に記憶されている運転状況情報と、機器配置記憶部２５に記憶されている機器配置情報と、在室状況記憶部２７に記憶されている在室状況情報とを取得し、ホームゲートウェイ２１を介して、その運転状況情報、機器配置情報及び在室状況情報を含む宅内情報を遠隔操作端末１に送信する（ステップＳＴ４）。
【００２２】
遠隔操作端末１の情報収集処理部１３は、宅内装置２から送信された宅内情報を受信すると、その宅内情報を状況提示処理部１４に出力する。
状況提示処理部１４は、情報収集処理部１３から宅内情報を受けると、その宅内情報に含まれている機器配置情報から操作対象機器３が設置されている部屋を認識し、その宅内情報に含まれている運転状況情報にしたがって当該部屋に設置されている操作対象機器３の運転状況を遠隔操作端末１のディスプレイに表示する。
また、状況提示処理部１４は、その宅内情報に含まれている在室状況情報にしたがって操作対象機器３が設置されている部屋の在室状況を遠隔操作端末１のディスプレイに表示する。
【００２３】
ここで、図３は状況提示処理部１４による運転状況及び在室状況の表示例を示す説明図である。
図３の例では、操作対象機器３が７台あり、それらの操作対象機器３の種類がエアコン又はテレビである例を示している。
また、図３では、居間及び書斎は在室中である旨を表し、寝室及び子供部屋は不在中である旨を表している。
なお、居間及び書斎に設置されているエアコンは、運転状況として冷房中である旨を示しているが、単に「運転中」のように表示するようにしてもよい。運転中の場合、冷房中であるのか、暖房中であるのかの情報は、運転状況情報に含まれているものとする。
ここでは、状況提示処理部１４が操作対象機器３の運転状況や在室状況を遠隔操作端末１のディスプレイに表示するものを示しているが、運転状況や在室状況を音声で出力するようにしてもよい。
【００２４】
宅外のユーザは、状況提示処理部１４によってディスプレイに表示された運転状況や在室状況を見ることで、操作対象機器３の運転状況を確認することができるとともに、操作対象機器３が設置されている部屋の在室状況を確認することができる。
したがって、不在中の部屋に設置されている操作対象機器（図３の例では、寝室や子供部屋に設置されている操作対象機器）については遠隔操作しても、在宅者の快適性を損な可能性は低いと判断できる一方、在室中の部屋に設置されている操作対象機器（図３の例では、居間や書斎に設置されている操作対象機器）について遠隔操作を行うと、在宅者の快適性を損な可能性が高いと判断することができる。
【００２５】
宅外のユーザは、運転状況や在室状況を確認したのち、遠隔操作端末１の操作受付処理部１１を操作して、個々の操作対象機器３の操作内容を入力する。
操作信号送信処理部１２は、操作受付処理部１１が操作対象機器３の操作内容を受け付けると、個々の操作対象機器３の操作内容を示す操作信号を宅内装置２に送信する。
【００２６】
宅内装置２のホームゲートウェイ２１は、遠隔操作端末１から送信された操作信号を受信すると（ステップＳＴ５：Ｙｅｓの場合）、その操作信号を機器制御処理部２２に出力する。
機器制御処理部２２は、ホームゲートウェイ２１から操作信号を受けると、その操作信号にしたがって個々の操作対象機器３を制御する（ステップＳＴ６）。
宅内装置２は、一連の処理を終了するまで、ステップＳＴ１〜ＳＴ６の処理を繰り返し実施する（ステップＳＴ７）。
【００２７】
以上で明らかなように、この実施の形態１によれば、遠隔操作端末１の情報収集処理部１３が、宅内情報のダウンロード要求を宅内装置２に送信して、宅内装置２から宅内情報を収集すると、状況提示処理部１４が、情報収集処理部１３により収集された宅内情報にしたがって操作対象機器３の運転状況と操作対象機器３が設置されている部屋の在室状況を提示するように構成したので、在宅者が望まない遠隔操作を実行する可能性を低減することができる効果を奏する。
【００２８】
実施の形態２．
図４はこの発明の実施の形態２による機器制御システムを示す構成図であり、図４において、図１と同一符号は同一または相当部分を示すので説明を省略する。
宅内装置２の間取りアイコン記憶部３１は例えばＲＡＭやハードディスクなどの記憶装置から構成されており、操作対象機器３が設置されている部屋の間取りを示す間取り情報と、操作対象機器３に対応するアイコン及び在室中を明示するアイコンを示すアイコン情報とを記憶している。
操作対象機器３に対応するアイコンとして、例えば、操作対象機器がテレビであれば、テレビの形状を模擬しているアイコン、操作対象機器がエアコンであれば、エアコンの形状を模擬しているアイコンを記憶している。
また、在室中を明示するアイコンとして、例えば、人間の立ち姿を模擬しているアイコンを記憶している。
【００２９】
ダウンロード受付処理部３２は例えばＣＰＵを実装している半導体集積回路、あるいは、ワンチップマイコンなどから構成されており、ホームゲートウェイ２１が遠隔操作端末１から送信された宅内情報のダウンロード要求信号を受信すると、運転状況記憶部２４に記憶されている運転状況情報と、機器配置記憶部２５に記憶されている機器配置情報と、在室状況記憶部２７に記憶されている在室状況情報と、間取りアイコン記憶部３１に記憶されている間取り情報及びアイコン情報とを取得し、ホームゲートウェイ２１を介して、その運転状況情報、機器配置情報、在室状況情報、間取り情報及びアイコン情報を含む宅内情報を遠隔操作端末１に送信（宅内情報をダウンロード）する処理を実施する。なお、ダウンロード受付処理部３２はダウンロード受付手段を構成している。
【００３０】
遠隔操作端末１の状況提示処理部４０は情報収集処理部１３により収集された宅内情報に含まれている間取り情報にしたがって部屋の間取り図を表示するとともに、その宅内情報に含まれている運転状況情報、機器配置情報及びアイコン情報にしたがって操作対象機器３に対応するアイコンと操作対象機器３の運転状況を間取り図上に表示する処理を実施する。
また、状況提示処理部４０は宅内情報に含まれている在室状況情報が示す在室状況が在室中である旨を示していれば、アイコン情報にしたがって在室中を明示するアイコンを間取り図上に表示する処理を実施する。なお、状況提示処理部４０は状況提示手段を構成している。
【００３１】
図４の例では、宅内装置２の構成要素であるホームゲートウェイ２１、機器制御処理部２２、運転状況確認処理部２３、運転状況記憶部２４、機器配置記憶部２５、在室状況確認処理部２６、在室状況記憶部２７、間取りアイコン記憶部３１、ダウンロード受付処理部３２及び人感センサ２９のそれぞれが専用のハードウェアで構成されているものを想定しているが、人感センサ２９を除く宅内装置２がコンピュータで構成されていてもよい。
人感センサ２９を除く宅内装置２をコンピュータで構成する場合、運転状況記憶部２４、機器配置記憶部２５、在室状況記憶部２７及び間取りアイコン記憶部３１をコンピュータの内部メモリ又は外部メモリ上に構成するとともに、ホームゲートウェイ２１、機器制御処理部２２、運転状況確認処理部２３、在室状況確認処理部２６及びダウンロード受付処理部３２の処理内容を記述しているプログラムをコンピュータのメモリに格納し、当該コンピュータのＣＰＵが当該メモリに格納されているプログラムを実行するようにすればよい。
【００３２】
次に動作について説明する。
ダウンロード受付処理部３２及び状況提示処理部４０以外の処理内容は上記実施の形態１と同様であるため、ここでは、主にダウンロード受付処理部３２及び状況提示処理部４０の処理内容を説明する。
図５は状況提示処理部４０による運転状況及び在室状況の表示例を示す説明図である。
【００３３】
宅内装置２のダウンロード受付処理部３２は、ホームゲートウェイ２１が遠隔操作端末１から送信されたダウンロード要求信号を受信すると、運転状況記憶部２４に記憶されている運転状況情報と、機器配置記憶部２５に記憶されている機器配置情報と、在室状況記憶部２７に記憶されている在室状況情報と、間取りアイコン記憶部３１に記憶されている間取り情報及びアイコン情報とを取得し、ホームゲートウェイ２１を介して、その運転状況情報、機器配置情報、在室状況情報、間取り情報及びアイコン情報を含む宅内情報を遠隔操作端末１に送信する。
【００３４】
遠隔操作端末１の情報収集処理部１３は、宅内装置２から送信された宅内情報を受信すると、その宅内情報を状況提示処理部４０に出力する。
状況提示処理部４０は、情報収集処理部１３から宅内情報を受けると、図５に示すように、その宅内情報に含まれている間取り情報にしたがって部屋の間取り図を表示する。
図５の例では、１階の居間及び書斎と、２階の寝室及び子供部屋とからなる間取りを表示している。
【００３５】
また、状況提示処理部４０は、その宅内情報に含まれている機器配置情報から操作対象機器３が設置されている部屋を把握して、その宅内情報に含まれているアイコン情報が示す操作対象機器３に対応するアイコンを間取り図上（当該操作対象機器３が設置されている部屋の位置）に表示する。
図５の例では、居間、寝室及び書斎に設置されているエアコン及びテレビのアイコンを表示し、子供部屋に設置されているエアコンのアイコンを表示している。
さらに、状況提示処理部４０は、その宅内情報に含まれている運転状況情報にしたがって操作対象機器３の運転状況を把握し、操作対象機器３の運転状況を間取り図上に表示する。
図５では、例えば、居間、書斎及び子供部屋に設置されているエアコンは、運転状況として冷房中である旨を表示し、寝室に設置されているエアコンは、運転状況として停止中である旨を表示している。
【００３６】
また、状況提示処理部４０は、その宅内情報に含まれている在室状況情報が示す在室状況が在室中である旨を示していれば、そのアイコン情報にしたがって在室中を明示するアイコンを間取り図上に表示する。
図５の例では、在室中を明示するアイコンとして、人間の立ち姿を模擬しているアイコンを居間及び書斎に表示している。
【００３７】
以上で明らかなように、この実施の形態２によれば、状況提示処理部４０が、情報収集処理部１３により収集された宅内情報に含まれている間取り情報にしたがって部屋の間取り図を表示するとともに、その宅内情報に含まれている運転状況情報、機器配置情報及びアイコン情報にしたがって操作対象機器３に対応するアイコンと操作対象機器３の運転状況を間取り図上に表示し、また、その宅内情報に含まれている在室状況情報が示す在室状況が在室中である旨を示していれば、そのアイコン情報にしたがって在室中を明示するアイコンを間取り図上に表示するように構成したので、上記実施の形態１のようなリスト形式で、運転状況や在室状況を表示するよりも、ユーザが直感的に運転状況や在室状況を把握することができる効果を奏する。
【００３８】
実施の形態３．
図６はこの発明の実施の形態３による機器制御システムを示す構成図であり、図６において、図４と同一符号は同一または相当部分を示すので説明を省略する。
宅内装置２のユーザ情報記憶部５１は例えばＲＡＭやハードディスクなどの記憶装置から構成されており、在宅者が身に着けているウェアラブルデバイス（図示せず）から出力される発信信号（例えば、近距離無線通信技術Ｂｌｕｅｔｏｏｔｈ（登録商標：以下記載を省略する）の拡張仕様であるＢＬＥ（Ｂｌｕｅｔｏｏｔｈ  Ｌｏｗ  Ｅｎｅｒｇｙ）で規定されている信号）に含まれているユーザＩＤと、在宅者の名前を示すユーザ情報とを対応付けて記憶している。
【００３９】
信号受信器５２は宅内の各部屋に設置されており、在宅者が身に着けているウェアラブルデバイスから出力される発信信号を検知すると、その発信信号に含まれているユーザＩＤと自己の受信器ＩＤ（信号受信器５２の受信器ＩＤ）を含む検知信号を在室状況確認処理部５３に出力する。
なお、信号受信器５２は、ウェアラブルデバイスを身に着けている在宅者が、自己が設置されている部屋内に存在している場合に限り、ウェアラブルデバイスから出力される発信信号を検知できるような受信感度に調整されているものとする。
この実施の形態３では、機器配置記憶部２５は操作対象機器３が設置されている部屋を示す機器配置情報のほか、信号受信器５２の受信器ＩＤと当該信号受信器５２が設置されている部屋の対応関係を示す受信器配置情報を記憶しているものとする。
【００４０】
在室状況確認処理部５３は例えばＣＰＵを実装している半導体集積回路、あるいは、ワンチップマイコンなどから構成されており、信号受信器５２から検知信号を受けると、その検知信号に含まれている受信器ＩＤと機器配置記憶部２５に記憶されている受信器配置情報を照合して、ウェアラブルデバイスから出力された発信信号を検知している信号受信器５２を特定することで、在宅者が存在している部屋を特定（操作対象機器３が設置されている部屋の在室状況を確認）する処理を実施する。
また、在室状況確認処理部５３はユーザ情報記憶部５１に記憶されているユーザ情報の中から、信号受信器５２から出力された検知信号に含まれているユーザＩＤと対応するユーザ情報を検索し、そのユーザＩＤと対応するユーザ情報を含む在室状況情報を在室状況記憶部２７に格納する処理を実施する。
なお、ユーザ情報記憶部５１、信号受信器５２及び在室状況確認処理部５３から在室状況確認手段が構成されている。
【００４１】
遠隔操作端末１の状況提示処理部６０は図４の状況提示処理部４０と同様の処理を実施するほか、情報収集処理部１３により収集された宅内情報に含まれている在室状況情報内のユーザ情報が示す在宅者の名前を間取り図上に表示する処理を実施する。なお、状況提示処理部６０は状況提示手段を構成している。
【００４２】
図６の例では、宅内装置２の構成要素であるホームゲートウェイ２１、機器制御処理部２２、運転状況確認処理部２３、運転状況記憶部２４、機器配置記憶部２５、在室状況記憶部２７、ユーザ情報記憶部５１、信号受信器５２、在室状況確認処理部５３、間取りアイコン記憶部３１及びダウンロード受付処理部３２のそれぞれが専用のハードウェアで構成されているものを想定しているが、信号受信器５２を除く宅内装置２がコンピュータで構成されていてもよい。
信号受信器５２を除く宅内装置２をコンピュータで構成する場合、運転状況記憶部２４、機器配置記憶部２５、在室状況記憶部２７、ユーザ情報記憶部５１及び間取りアイコン記憶部３１をコンピュータの内部メモリ又は外部メモリ上に構成するとともに、ホームゲートウェイ２１、機器制御処理部２２、運転状況確認処理部２３、在室状況確認処理部５３及びダウンロード受付処理部３２の処理内容を記述しているプログラムをコンピュータのメモリに格納し、当該コンピュータのＣＰＵが当該メモリに格納されているプログラムを実行するようにすればよい。
【００４３】
次に動作について説明する。
信号受信器５２、在室状況確認処理部５３及び状況提示処理部６０以外の処理内容は上記実施の形態２と同様であるため、ここでは、主に信号受信器５２、在室状況確認処理部５３及び状況提示処理部６０の処理内容を説明する。
図７は状況提示処理部６０による運転状況及び在室状況の表示例を示す説明図である。
【００４４】
在宅者が身に着けているウェアラブルデバイス（図示せず）は、ユーザＩＤを含む微弱な発信信号を出力する。
このユーザＩＤと在宅者の名前を示すユーザ情報は、予め対応付けられて宅内装置２のユーザ情報記憶部５１に記憶されている。
例えば、５人家族である場合、下記のように、ユーザＩＤと名前が対応付けられる。
ユーザＩＤ        名前
００１    →    Ａ（父）
００２    →    Ｂ（母）
００３    →    Ｃ（長男）
００４    →    Ｄ（次男）
００５    →    Ｅ（長女）
【００４５】
信号受信器５２は、宅内の各部屋に設置されており、在宅者が身に着けているウェアラブルデバイスから出力される発信信号を検知すると、その発信信号に含まれているユーザＩＤと自己の受信器ＩＤを含む検知信号を在室状況確認処理部５３に出力する。
例えば、操作対象機器３が設置されている部屋の部屋数が４である場合、下記のように、受信器ＩＤが割り当てられる。
部屋        受信器ＩＤ
居間    →    Ｒ０１
書斎    →    Ｒ０２
寝室    →    Ｒ０３
子供部屋→    Ｒ０４
【００４６】
各部屋に設置されている信号受信器５２は、ウェアラブルデバイスを身に着けている在宅者が、自己が設置されている部屋内に存在している場合に限り、ウェアラブルデバイスから出力される発信信号を検知できるような受信感度に調整されているものとする。
したがって、例えば、居間に設置されている信号受信器５２は、在宅者が居間に存在している場合に限り、その在宅者が身に着けているウェアラブルデバイスから出力される発信信号を検知することができ、例えば、在宅者が書斎や寝室に存在していても、その在宅者が身に着けているウェアラブルデバイスから出力される発信信号を検知することができない。
【００４７】
在室状況確認処理部５３は、或る部屋に設置されている信号受信器５２から検知信号を受けると、機器配置記憶部２５に記憶されている受信器配置情報に含まれている受信器ＩＤと、その検知信号に含まれている受信器ＩＤとを照合して、その検知信号に含まれている受信器ＩＤと一致する受信器ＩＤを含んでいる受信器配置情報を特定する。
そして、在室状況確認処理部５３は、特定した受信器配置情報に含まれている受信器ＩＤと対応している部屋が、在宅者が存在している部屋であると特定することで、操作対象機器３が設置されている各部屋の在室状況を確認する。即ち、特定した受信器配置情報に含まれている受信器ＩＤと対応している部屋は在室中であり、特定した受信器配置情報に含まれている受信器ＩＤと対応していない部屋は不在中であると判断する。
また、在室状況確認処理部５３は、ユーザ情報記憶部５１に記憶されているユーザ情報の中から、信号受信器５２から出力された検知信号に含まれているユーザＩＤと対応するユーザ情報を検索し、そのユーザＩＤと対応するユーザ情報を含む在室状況情報を在室状況記憶部２７に格納する。
【００４８】
例えば、母が居間の中に存在している場合、居間に設置されている信号受信器５２が、母が身に着けているウェアラブルデバイスから出力される発信信号（母のユーザＩＤ“００２”を含む発信信号）を検知し、その発信信号に含まれている母のユーザＩＤ“００２”と受信器ＩＤ“Ｒ０１”を含む検知信号を在室状況確認処理部５３に出力する。
これにより、在室状況確認処理部５３は、検知信号に含まれている受信器ＩＤ“Ｒ０１”から、居間の中に在宅者が存在していることを把握し、また、その検知信号に含まれているユーザＩＤ“００２”から、居間の中に存在している在宅者が母であると把握する。
【００４９】
宅内装置２のダウンロード受付処理部３２は、ホームゲートウェイ２１が遠隔操作端末１から送信されたダウンロード要求信号を受信すると、上記実施の形態２と同様に、ホームゲートウェイ２１を介して、運転状況情報、機器配置情報、在室状況情報、間取り情報及びアイコン情報を含む宅内情報を遠隔操作端末１に送信する。
ただし、この実施の形態３では、その宅内情報に含まれている在室状況情報内にユーザ情報が含まれている。
【００５０】
遠隔操作端末１の情報収集処理部１３は、宅内装置２から送信された宅内情報を受信すると、その宅内情報を状況提示処理部６０に出力する。
状況提示処理部６０は、情報収集処理部１３から宅内情報を受けると、図４の状況提示処理部４０と同様に、部屋の間取り図を表示するとともに、運転状況や在室状況等を間取り図上に表示する。
また、状況提示処理部６０は、その宅内情報に含まれている在室状況情報からユーザ情報を取得し、そのユーザ情報が示す在宅者の名前を間取り図上に表示する。
図７の例では、居間の中に存在している在宅者が母であるため、母の名前であるＢを表示している。
また、書斎の中に存在している在宅者が父であるため、父の名前であるＡを表示している。
【００５１】
以上で明らかなように、この実施の形態３によれば、遠隔操作端末１の状況提示処理部６０が、情報収集処理部１３により収集された宅内情報に含まれている在室状況情報内のユーザ情報が示す在宅者の名前を間取り図上に表示するように構成したので、在宅者が誰であるのかを把握することができるようになり、その結果、当該在宅者が望まない遠隔操作を経験的に知っていれば、そのような遠隔操作を避けることができる効果を奏する。
【００５２】
実施の形態４．
図８はこの発明の実施の形態４による機器制御システムを示す構成図であり、図８において、図６と同一符号は同一または相当部分を示すので説明を省略する。
遠隔操作端末１の操作受付処理部７１は例えば遠隔操作端末１のタッチパネル上に表示される操作キーなどのユーザインタフェースであり、図６の操作受付処理部１１と同様に、個々の操作対象機器３の操作内容を受け付ける処理を実施するほか、宅内の全ての操作対象機器３に対する一括操作の操作内容を受け付ける処理を実施する。
また、操作受付処理部７１は、宅内の全ての操作対象機器３に対する一括操作、あるいは、不在中の部屋に設置されている全ての操作対象機器３の一括操作の選択を受け付ける処理を実施し、不在中の部屋に設置されている全ての操作対象機器３の一括操作が選択された場合、不在中の部屋に設置されている全ての操作対象機器３の一括操作に対する一括操作の操作内容を受け付ける処理を実施する。
【００５３】
操作信号送信処理部７２は図６の操作信号送信処理部１２と同様の無線通信機能を備えており、操作受付処理部７１により個々の操作対象機器３の操作内容が受け付けられた場合、図６の操作信号送信処理部１２と同様に、個々の操作対象機器３の操作内容を示す操作信号を宅内装置２に送信する処理を実施する。
また、操作信号送信処理部７２は操作受付処理部７１により宅内の全ての操作対象機器３の一括操作の選択が受け付けられた場合、宅内の全ての操作対象機器３に対する一括操作内容を示す一括操作信号を宅内装置２に送信し、不在中の部屋に設置されている全ての操作対象機器３の一括操作の選択が受け付けられた場合、不在中の部屋に設置されている全ての操作対象機器３に対する一括操作内容を示す部分的一括操作信号を宅内装置２に送信する処理を実施する。
なお、操作受付処理部７１及び操作信号送信処理部７２は、操作信号送信手段を構成するとともに、一括操作要求手段を構成している。
状況提示処理部７３は図６の状況提示処理部６０と同様の処理を実施するほか、一括操作用の画面を遠隔操作端末１のディスプレイに表示する処理を実施する。なお、状況提示処理部７３は状況提示手段を構成している。
【００５４】
宅内装置２の機器制御処理部８０は例えばＣＰＵを実装している半導体集積回路、あるいは、ワンチップマイコンなどから構成されており、ホームゲートウェイ２１が遠隔操作端末１から送信された操作信号（個々の操作対象機器３の操作内容を示す操作信号）を受信すると、図６の機器制御処理部２２と同様に、その操作信号にしたがって個々の操作対象機器３を制御する処理を実施する。
また、機器制御処理部８０はホームゲートウェイ２１が遠隔操作端末１から送信された一括操作信号を受信すると、その一括操作信号にしたがって宅内の全ての操作対象機器３を一括に制御し、ホームゲートウェイ２１が遠隔操作端末１から送信された部分的一括操作信号を受信すると、その部分的一括操作信号にしたがって不在中の部屋に設置されている全ての操作対象機器３を一括に制御する処理を実施する。なお、機器制御処理部８０は機器制御手段及び一括制御手段を構成している。
【００５５】
図８の例では、宅内装置２の構成要素であるホームゲートウェイ２１、機器制御処理部８０、運転状況確認処理部２３、運転状況記憶部２４、機器配置記憶部２５、在室状況記憶部２７、ユーザ情報記憶部５１、信号受信器５２、在室状況確認処理部５３、間取りアイコン記憶部３１及びダウンロード受付処理部３２のそれぞれが専用のハードウェアで構成されているものを想定しているが、信号受信器５２を除く宅内装置２がコンピュータで構成されていてもよい。
信号受信器５２を除く宅内装置２をコンピュータで構成する場合、運転状況記憶部２４、機器配置記憶部２５、在室状況記憶部２７、ユーザ情報記憶部５１及び間取りアイコン記憶部３１をコンピュータの内部メモリ又は外部メモリ上に構成するとともに、ホームゲートウェイ２１、機器制御処理部８０、運転状況確認処理部２３、在室状況確認処理部５３及びダウンロード受付処理部３２の処理内容を記述しているプログラムをコンピュータのメモリに格納し、当該コンピュータのＣＰＵが当該メモリに格納されているプログラムを実行するようにすればよい。
【００５６】
次に動作について説明する。
遠隔操作端末１の操作受付処理部７１、操作信号送信処理部７２及び状況提示処理部７３と、宅内装置２の機器制御処理部８０以外の処理内容は上記実施の形態１〜３と同様であるため、ここでは、主に遠隔操作端末１の操作受付処理部７１、操作信号送信処理部７２及び状況提示処理部７３と、宅内装置２の機器制御処理部８０の処理内容を説明する。
図９は操作受付処理部７１が一括操作を受け付ける際にディスプレイに表示する画面例を示す説明図である。
【００５７】
宅外のユーザは、操作対象機器３の遠隔操作を希望する場合、遠隔操作端末１の操作受付処理部７１を操作して、操作対象機器３の遠隔操作用アプリを起動する。
遠隔操作端末１の情報収集処理部１３は、遠隔操作用アプリが起動すると、上記実施の形態１〜３と同様に、宅内情報のダウンロード要求信号を宅内装置２に送信する。
宅内装置２は、遠隔操作端末１から宅内情報のダウンロード要求信号を受信すると、上記実施の形態１〜３と同様に、宅内情報を遠隔操作端末１に送信する。
【００５８】
遠隔操作端末１の情報収集処理部１３は、宅内装置２から送信された宅内情報を受信すると、上記実施の形態１〜３と同様に、その宅内情報を状況提示処理部７３に出力する。
状況提示処理部７３は、情報収集処理部１３から宅内情報を受けると、図６の状況提示処理部６０と同様に、その宅内情報にしたがって操作対象機器３の運転状況と操作対象機器３が設置されている部屋の在室状況をディスプレイに表示する。
【００５９】
宅外のユーザは、運転状況と在室状況を確認したのち、操作対象機器３の一括操作を希望する場合、遠隔操作端末１の操作受付処理部７１を操作して、一括操作用の画面をディスプレイに表示する要求を入力する。
状況提示処理部７３は、操作受付処理部７１が一括操作用の画面の表示要求を受け付けると、図９に示すような画面を表示する。
図９の例では、宅内の全てのエアコンを一括で停止させる際の操作内容を示しているが、ユーザが操作受付処理部７１を操作することで、一括操作の操作内容を切り替えることができる。図９では説明の便宜上、操作対象機器３としてエアコンだけの操作内容を示しているが、テレビなどの操作対象機器３の操作内容も表示される。
【００６０】
宅外のユーザは、図９の画面に表示されている一括操作を希望する場合、「実行する」のアイコンに触れれば、操作受付処理部７１によって宅内の全ての操作対象機器３の一括操作（図９の画面に表示されている一括操作）が受け付けられる。
宅外のユーザは、宅内の全ての操作対象機器３ではなく、不在中の部屋に設置されている全ての操作対象機器３の一括操作を希望する場合、「不在の部屋のみ実行」のアイコンに触れれば、操作受付処理部７１によって不在中の部屋に設置されている全ての操作対象機器３の一括操作が受け付けられる。図９の例では、寝室と子供部屋に設置されている全ての操作対象機器３の一括操作が受け付けられる。
【００６１】
操作信号送信処理部７２は、操作受付処理部７１が宅内の全ての操作対象機器３の一括操作を受け付けると、宅内の全ての操作対象機器３に対する一括操作内容を示す一括操作信号を宅内装置２に送信する。
操作信号送信処理部７２は、操作受付処理部７１が不在中の部屋に設置されている全ての操作対象機器３の一括操作を受け付けると、不在中の部屋に設置されている全ての操作対象機器３に対する一括操作内容を示す部分的一括操作信号を宅内装置２に送信する。
【００６２】
宅内装置２のホームゲートウェイ２１は、遠隔操作端末１から送信された一括操作信号を受信すると、その一括操作信号を機器制御処理部８０に出力する。また、遠隔操作端末１から送信された部分的一括操作信号を受信すると、その一部分的括操作信号を機器制御処理部８０に出力する。
機器制御処理部８０は、ホームゲートウェイ２１から一括操作信号を受けると、その一括操作信号にしたがって宅内の全ての操作対象機器３を一括に制御する。
機器制御処理部８０は、ホームゲートウェイ２１から部分的一括操作信号を受けると、その部分的一括操作信号にしたがって不在中の部屋に設置されている全ての操作対象機器３を一括に制御する。
【００６３】
以上で明らかなように、この実施の形態４によれば、宅内の全ての操作対象機器３を一括して制御する場合でも、操作対象機器３の運転状況と操作対象機器３が設置されている部屋の在室状況を確認することができるので、上記実施の形態１〜３と同様に、在宅者が望まない遠隔操作を実行する可能性を低減することができる効果を奏する。
また、この実施の形態４によれば、一括に操作する場合であっても、不在中の部屋に設置されている操作対象機器３だけを制御対象として選択することができるため、在宅者が望まない遠隔操作を実行する可能性を更に低減することができる効果を奏する。
【００６４】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００６５】
１  遠隔操作端末、２  宅内装置、３  操作対象機器、１１  操作受付処理部（操作信号送信手段）、１２  操作信号送信処理部（操作信号送信手段）、１３  情報収集処理部（情報収集手段）、１４  状況提示処理部（状況提示手段）、２１  ホームゲートウェイ、２２  機器制御処理部（機器制御処理部）、２３  運転状況確認処理部（運転状況確認手段）、２４  運転状況記憶部、２５  機器配置記憶部、２６  在室状況確認処理部（在室状況確認手段）、２７  在室状況記憶部、２８  ダウンロード受付処理部（ダウンロード受付手段）、２９  人感センサ（在室状況確認手段）、３１  間取りアイコン記憶部、３２  ダウンロード受付処理部（ダウンロード受付手段）、４０  状況提示処理部（状況提示手段）、５１  ユーザ情報記憶部（在室状況確認手段）、５２  信号受信器（在室状況確認手段）、５３  在室状況確認処理部（在室状況確認手段）、６０  状況提示処理部（状況提示手段）、７１  操作受付処理部（一括操作要求手段、操作信号送信手段）、７２  操作信号送信処理部（一括操作要求手段、操作信号送信手段）、７３  状況提示処理部（状況提示手段）、８０  機器制御処理部（機器制御手段、一括制御手段）。
【図１】
2016010047.tif 000003
【図２】
2016010047.tif 000004
【図３】
2016010047.tif 000005
【図４】
2016010047.tif 000006
【図５】
2016010047.tif 000007
【図６】
2016010047.tif 000008
【図７】
2016010047.tif 000009
【図８】
2016010047.tif 000010
【図９】
2016010047.tif 000011